(57)【特許請求の範囲】
【請求項１】
板状筐体の一方の面に操作部が設けられるとともに他方の面側にて非接触通信が可能な通信用アンテナを具備する通信端末が搭載可能に構成され、前記通信端末と非接触型記録媒体との間における前記非接触通信を中継する通信端末用台座であって、
前記通信端末が搭載可能に構成され、前記通信端末が搭載された場合に前記通信用アンテナと非接触通信を行う第１のアンテナを具備する搭載部と、
前記第１のアンテナと接続された第２のアンテナを具備し、前記搭載部の前記通信端末が搭載される面上に起立した起立部とを有する通信端末用台座。
【請求項２】
請求項１に記載の通信端末用台座において、
前記通信端末の非接触通信プロトコルと前記非接触型記録媒体の非接触通信プロトコルとが互いに異なる場合に、前記第１のアンテナにて送受信されるコマンドを含むデータと前記第２のアンテナにて送受信されるコマンドを含むデータとのプロトコル変換を行う変換手段を有する通信端末用台座。
【請求項３】
請求項１または請求項２に記載の通信端末用台座において、
前記第１のアンテナは、前記通信端末が搭載される面に沿って移動可能に設けられている通信端末用台座。
【請求項４】
請求項１または請求項２に記載の通信端末用台座において、
前記第１のアンテナは、前記通信端末が搭載される面に沿って互いに異なる位置に複数設けられている通信端末用台座。
【発明の詳細な説明】
【技術分野】
【０００１】
本発明は、非接触通信可能な通信端末が搭載可能に構成され、この通信端末と非接触型記録媒体との間の非接触通信を中継する通信端末用台座に関する。
【背景技術】
【０００２】
昨今、情報化社会の進展に伴って、情報をカードに記録し、該カードを用いた情報管理や決済等が行われている。このようなカードを用いた情報管理においては、非接触状態にて情報の書き込み及び読み出しを行うことが可能なＩＣチップが搭載された非接触型ＩＣカードがその優れた利便性から急速な普及が進みつつある。
【０００３】
このような非接触型ＩＣカードは、外部に設けられたリーダ／ライタに翳すことにより、リーダ／ライタとの間にて非接触通信が行われ、ＩＣチップに書き込まれた情報が読み出されたり、ＩＣチップに情報が書き込まれたりする。
【０００４】
また、近年においては、携帯電話の急速な普及に伴って、上述したＩＣチップを携帯電話に内蔵し、携帯電話を非接触型ＩＣカードとして用いることが行われている。この場合においても、外部に設けられたリーダ／ライタに携帯電話を翳すことにより、ＩＣチップとリーダ／ライタとの間にて非接触通信が行われ、ＩＣチップに書き込まれた情報が読み出されたり、ＩＣチップに情報が書き込まれたりする。
【０００５】
上記のように非接触型ＩＣカードや携帯電話を非接触型記録媒体として用い、この非接触型記録媒体を用いた決済を行うことは、利用者が現金を持ち歩く必要がないばかりか、一般的なクレジットカードのようにカードを店員に渡すことなく決済が行われることになるため、今後も利用する利用者及び店舗が増えることが予想される。ところが、上述したような非接触型記録媒体と非接触通信を行うリーダ／ライタは高価なものであるため、小規模の店舗においては導入することが難しい。
【０００６】
ここで、電子マネーカードとリーダ／ライタとの間に介在し、電子マネーカードの通信プロトコルとリーダ／ライタの通信プロトコルとが異なる場合にそのプロトコル変換を行うことにより、通信プロトコルが互いに異なる電子マネーカードとリーダ／ライタとの間のデータの送受信を可能とするアダプタが特許文献１に開示されている。ところが、この技術を用いたとしても、上記のような問題点は解決されない。
【０００７】
そこで、携帯電話に内蔵された非接触通信用のアンテナを用いて携帯電話をリーダ／ライタとして利用することが考えられている。このように、携帯電話をリーダ／ライタとして利用すれば、高価なリーダ／ライタを導入することなく非接触型記録媒体を用いた決済を行うことができるようになる。
【先行技術文献】
【特許文献】
【０００８】
【特許文献１】特開２０００−１５６７１８号公報
【発明の概要】
【発明が解決しようとする課題】
【０００９】
非接触通信用のアンテナが内蔵された携帯電話は一般的に、板状筐体の一方の面にキー等からなる操作部が設けられ、それとは反対側の面を向くように非接触通信用のアンテナが内蔵されている。そして、机上等に載置された状態で操作部を操作可能とするためには、操作部が上を向いた状態で机上等に載置されることになる。そのため、机上等に載置された状態で非接触通信用アンテナを用いて非接触型記録媒体と非接触通信を行うためには、非接触型記録媒体を携帯電話の下方に配置しなければないことになり、実質的に非接触型記録媒体に対する情報の書き込みや読み出しを行うことができないという問題点がある。
【００１０】
本発明は、上述したような従来の技術が有する問題点に鑑みてなされたものであって、板状筐体の一方の面に操作部が設けられるとともに他方の面側にて非接触通信が可能な通信用アンテナを具備する通信端末を操作部が上を向いた状態で机上等に載置した場合においても、通信端末をリーダ／ライタとして利用して非接触型記録媒体に対する情報の書き込みや読み出しを行わせることができる通信端末用台座を提供することを目的とする。
【課題を解決するための手段】
【００１１】
上記目的を達成するために本発明は、
板状筐体の一方の面に操作部が設けられるとともに他方の面側にて非接触通信が可能な通信用アンテナを具備する通信端末が搭載可能に構成され、前記通信端末と非接触型記録媒体との間における前記非接触通信を中継する通信端末用台座であって、
前記通信端末が搭載可能に構成され、前記通信端末が搭載された場合に前記通信用アンテナと非接触通信を行う第１のアンテナを具備する搭載部と、
前記第１のアンテナと接続された第２のアンテナを具備し、前記搭載部の前記通信端末が搭載される面上に起立した起立部とを有する。
【００１２】
上記のように構成された本発明においては、通信端末をその操作部が上を向くように搭載部上に搭載すると、通信端末の通信用アンテナによって非接触通信が可能な面には、搭載部に設けられた第１のアンテナが存在しているため、通信端末の通信用アンテナと第１のアンテナとの間で非接触通信が行われる。また、搭載部上の通信端末が搭載される面上に起立した起立部には第２のアンテナが設けられているため、この起立部に非接触型記録媒体を翳せば、非接触型記録媒体と第２のアンテナとの間で非接触通信が行われる。そして、第１のアンテナと第２のアンテナとが接続されているため、第１及び第２のアンテナを介して通信端末と非接触型記録媒体との間にて通信が行われ、通信端末において非接触型記録媒体に対して情報が書き込まれたり読み出されたりすることになる。
【００１３】
このように、板状筐体の一方の面に操作部が設けられるとともに他方の面側にて非接触通信が可能な通信用アンテナを具備する通信端末を操作部が上を向いた状態で机上等に載置した場合においても、通信端末をリーダ／ライタとして利用して非接触型記録媒体に対する情報の書き込みや読み出しを行わせることができる。
【００１４】
また、通信端末の非接触通信プロトコルと非接触型記録媒体の非接触通信プロトコルとが互いに異なる場合に、第１のアンテナにて送受信されるコマンドを含むデータと第２のアンテナにて送受信されるコマンドを含むデータとのプロトコル変換を行う変換手段を設ければ、通信端末の非接触通信プロトコルと非接触型記録媒体の非接触通信プロトコルとが互いに異なる場合であっても、通信端末をリーダ／ライタとして利用して非接触型記録媒体に対する情報の書き込みや読み出しを行わせることができる。
【００１５】
また、第１のアンテナを、通信端末が搭載される面に沿って移動可能に設けたり、通信端末が搭載される面に沿って互いに異なる位置に複数設けたりすることにより、通信端末の通信用アンテナの位置がその機種によって異なる場合においても、通信用アンテナと第１のアンテナとを対向させることができ、非接触型記録媒体に対する情報の書き込みや読み出しを確実に行わせることができる。
【発明の効果】
【００１６】
以上説明したように本発明においては、通信端末が搭載可能に構成され、通信端末が搭載された場合に通信端末の通信用アンテナと非接触通信を行う第１のアンテナを具備する搭載部と、第１のアンテナと接続された第２のアンテナを具備し、搭載部の通信端末が搭載される面上に起立した起立部とを有する構成とし、通信端末をその操作部が上を向くように搭載部上に搭載した場合、通信端末の通信用アンテナと第１のアンテナとの間で非接触通信が行われ、また、搭載部上の通信端末が搭載される面上に起立した起立部に非接触型記録媒体を翳した場合、非接触型記録媒体と第２のアンテナとの間で非接触通信が行われることとしたため、板状筐体の一方の面に操作部が設けられるとともに他方の面側にて非接触通信が可能な通信用アンテナを具備する通信端末を操作部が上を向いた状態で机上等に載置した場合においても、通信端末をリーダ／ライタとして利用して非接触型記録媒体に対する情報の書き込みや読み出しを行わせることができる。
【００１７】
また、通信端末の非接触通信プロトコルと非接触型記録媒体の非接触通信プロトコルとが互いに異なる場合に、第１のアンテナにて送受信されるコマンドを含むデータと第２のアンテナにて送受信されるコマンドを含むデータとのプロトコル変換を行う変換手段を有するものにおいては、通信端末の非接触通信プロトコルと非接触型記録媒体の非接触通信プロトコルとが互いに異なる場合であっても、通信端末をリーダ／ライタとして利用して非接触型記録媒体に対する情報の書き込みや読み出しを行わせることができる。
【００１８】
また、第１のアンテナが、通信端末が搭載される面に沿って移動可能に設けられた構成としたものや、通信端末が搭載される面に沿って互いに異なる位置に複数設けられた構成としたものにおいては、通信端末の通信用アンテナの位置がその機種によって異なる場合においても、通信用アンテナと第１のアンテナとを対向させることができ、非接触型記録媒体に対する情報の書き込みや読み出しを確実に行わせることができる。
【図面の簡単な説明】
【００１９】
【図１】本発明の通信端末用台座の第１の実施の形態を示す図であり、（ａ）は外観斜視図、（ｂ）は（ａ）に示した矢印Ａ方向から見た内部構造を示す図、（ｃ）は機能ブロック図である。
【図２】図１に示した通信端末用台座の搭載板上に搭載される通信端末の一例を示す外観斜視図である。
【図３】図１に示した通信端末用台座に図２に示した携帯電話を搭載板上に搭載した場合の通信端末用台座の動作を説明するための図であり、（ａ）は使用状態を示す外観斜視図、（ｂ）は使用状態における機能ブロック図である。
【図４】図１に示した通信端末用台座に図２に示した携帯電話を図３に示したように搭載した場合の動作について説明するための図である。
【図５】本発明の通信端末用台座の第２の実施の形態を示す図であり、（ａ）は外観斜視図、（ｂ）は機能ブロック図である。
【発明を実施するための形態】
【００２０】
以下に、本発明の実施の形態について図面を参照して説明する。
【００２１】
（第１の実施の携帯）
図１は、本発明の通信端末用台座の第１の実施の形態を示す図であり、（ａ）は外観斜視図、（ｂ）は（ａ）に示した矢印Ａ方向から見た内部構造を示す図、（ｃ）は機能ブロック図である。
【００２２】
本形態における通信端末用台座は図１に示すように、設置板４０上に搭載部となる搭載板１０が配置されるとともに、搭載板１０上に起立部となる起立板２０が配置されて構成されている。
【００２３】
設置板４０は、携帯通信用台座１を机上等に設置するためのものであって、上面に斜面形状を有した構成となっている。
【００２４】
搭載板１０は、設置板４０の斜面上に配置され、斜面の下側となる端部に突出したストッパー１２が設けられているとともに、内部にアンテナ搭載部１３を有している。そして、設置板４０とは反対側の面が上面となって通信端末が搭載される面となる。アンテナ搭載部１３は、一方の面に第１のアンテナ１１が設けられているとともに、他方の面に導電材１７ａが塗工された板状のものであり、アンテナ１１と導電材１７ａとは導通部１８によって電気的に接続されている。また、これらアンテナ１１と導電材１７ａの間には磁性体１９が配置されている。このように構成されたアンテナ搭載部１３は、搭載板１０の樹脂からなるベース基材１６に側面が開口して形成された溝１５内において通信端末が搭載される面に沿って移動可能に配置されている。この溝１５には、アンテナ搭載部１３の導電材１７ａが塗工された面に対向する面には導電材１７ｂが塗工されており、これら導電材１７ａ，１７ｂが互いに接触している。また、アンテナ搭載部１３には、溝１５から外側に出る部分につまみ１４が設けられており、このつまみ１４を用いて溝１５内を移動可能となっている。なお、アンテナ搭載部１３においては、つまみ１４を用いて溝１５内を移動可能とするのではなく、搭載板１０の通信端末が搭載される面に表出させておき、指等によって移動可能な構成としてもよい。
【００２５】
起立板２０は、搭載板１０の通信端末が搭載される面上に起立して配置されており、その内部に第２のアンテナ２１が設けられている。なお、起立板２０においても、樹脂からなるベース基材の内部にアンテナ２１が設けられている。
【００２６】
搭載板１０に設けられたアンテナ１１と、起立板２０に設けられたアンテナ２１とは、変換手段となる変換モジュール３０を介して接続されている。変換モジュール３０は、設置板４０内に設けられており、２つの送受信部３１，３２と、制御部３３と、メモリ３４とを有している。なお、アンテナ１１は、変換モジュール３０と直接接続されているのではなく、搭載板１０の溝部１５に塗工された導電材１７ｂが変換モジュール３０と接続されており、これにより、アンテナ１１は、導通部１８及び導電材１７ａ，１７ｂを介して変換モジュール３０と接続されている。
【００２７】
送受信部３１は、アンテナ１１と接続されており、搭載板１０上に搭載された通信端末との間にてアンテナ１１を介したデータの送受信を行う。
【００２８】
送受信部３２は、アンテナ２１を接続されており、起立板２０に翳された非接触型記録媒体との間にてアンテナ２１を介したデータの送受信を行う。
【００２９】
メモリ３４は、アンテナ１１，２１を介したデータの送受信にて用いられる複数の非接触通信プロトコルや、通信端末用台座１の動作プログラムを保持している。
【００３０】
制御部３３は、メモリ３４に保持された複数の非接触通信プロトコルを用いて、起立板２０に翳された非接触型記録媒体の非接触通信プロトコルが、搭載板１０上に搭載された通信端末の非接触通信プロトコルと異なる場合に、アンテナ１１にて送受信されるコマンドを含むデータとアンテナ２１にて送受信されるコマンドを含むデータとのプロトコル変換を行う。
【００３１】
以下に、上記のように構成された通信端末用台座１の使用方法及び動作について説明する。
【００３２】
まず、図１に示した通信端末用台座１の搭載板１０上に搭載される通信端末について説明する。
【００３３】
図２は、図１に示した通信端末用台座１の搭載板１０上に搭載される通信端末の一例を示す外観斜視図である。
【００３４】
図１に示した通信端末用台座１の搭載板１０上に搭載される通信端末としては、例えば、図２に示すように、２つの板状筐体５０ａ，５０ｂがヒンジ部５３を中心として見開き可能となった携帯電話２が挙げられる。この携帯電話２は、ヒンジ部５３を中心として見開き可能となる２つの板状筐体５０ａ，５０ｂのうち、一方の板状筐体５０ａに操作部５１及び通信用アンテナ５３が設けられ、他方の板状筐体５０ｂに表示部５２が設けられている。操作部５１は、板状筐体５０ａの見開き面に設けられており、通信用アンテナ５３は、操作部５１とは反対側の面にて非接触通信が可能となっている。そして、非接触型記録媒体に対して情報を書き込んだり読み出したりするためのリーダ／ライタとして機能するためのプログラムが内部のメモリ（不図示）内にインストールされている。なお、通信用アンテナ５３は、通信網を介した電話等の通信に用いられるものではなく、非接触型記録媒体との間にて非接触通信を行うためのものである。
【００３５】
次に、図１に示した通信端末用台座１の使用方法及び動作について、図２に示した携帯電話２を搭載板１０上に搭載した場合を例に挙げて説明する。
【００３６】
図３は、図１に示した通信端末用台座１に図２に示した携帯電話２を搭載板１０上に搭載した場合の通信端末用台座１の動作を説明するための図であり、（ａ）は使用状態を示す外観斜視図、（ｂ）は使用状態における機能ブロック図である。
【００３７】
図１に示した通信端末用台座１においては、図３に示すように、図２に示した携帯電話２が搭載板１０に搭載されて使用される。
【００３８】
図２に示した携帯電話２は、２つの板状筐体５０ａ，５０ｂがヒンジ部５３を中心として見開いた状態で、板状筐体５０ａが搭載板１０上に搭載される。この際、板状筐体５０ａの端部がストッパー１２に当接し、携帯電話２が通信端末用台座１上にて固定されることになる。また、板状筐体５０ｂにおいては、起立板２０に寄り掛かるような状態となる。
【００３９】
これにより、板状筐体５０ａに設けられた操作部５１は上方を向くこととなる。また、携帯電話２の通信用アンテナ５３が、搭載板１０に設けられたアンテナ１１に対向する。なお、搭載板１０に設けられたアンテナ１１においては、通信端末用台座１上に搭載される携帯電話２の通信用アンテナ５３の位置に応じて、通信端末用台座１上に携帯電話２が搭載された場合にアンテナ１１と通信用アンテナ５３とが対向するように、つまみ１４によってアンテナ搭載部１３を予め移動させておく。それにより、携帯電話２の通信用アンテナ５３の位置がその機種によって異なる場合においても、通信用アンテナ５３と搭載板１０に設けられたアンテナ１１とを対向させることができる。
【００４０】
このようにして、携帯電話２の通信用アンテナ５３が搭載板１０に設けられたアンテナ１１に対向することにより、携帯電話２の通信用アンテナ５３と搭載板１０に設けられたアンテナ１１との間で非接触通信が行われるようになる。なおこの際、アンテナ１１には、導電材１７ａ，１７ｂが対向しているが、アンテナ１１と導電材１７ａ，１７ｂとの間には磁性体１９が介在しているため、通信用アンテナ５３とアンテナ１１との間の非接触通信に導電材１７ａ，１７ｂが影響することはない。
【００４１】
この状態で、起立板２０に非接触型記録媒体を翳せば、非接触型記録媒体と、起立板２０に設けられたアンテナ２１との間で非接触通信が行われる。起立板２０に翳す非接触型記録媒体としては、例えば、図３に示すような、通信用アンテナ３ａによって非接触通信が可能な携帯電話３が挙げられる。また、非接触状態にて情報の書き込みや読み出しが可能なＩＣカードやＩＣタグ等であってもよい。
【００４２】
そして、アンテナ１１が導通部１８及び導電材１７ａ，１７ｂを介して変換モジュール３０と接続されていることから、搭載板１０に設けられたアンテナ１１と、起立板２０に設けられたアンテナ２１とが、変換モジュール３０を介して接続されているため、これら２つのアンテナ１１，２１を介して携帯電話２と携帯電話３との間にて通信が行われ、携帯電話２がリーダ／ライタとして機能して携帯電話３に対して情報が書き込まれたり読み出されたりすることになる。
【００４３】
この際、板状筐体５０ａに設けられた操作部５１が上方を向いているため、リーダ／ライタとして機能している携帯電話２に対して情報を容易に入力することができる。
【００４４】
このように、板状筐体５０ａの一方の面に操作部５１が設けられるとともに、操作部５１の反対側の面側にて非接触通信が可能な通信用アンテナ５３を具備する携帯電話２を操作部５１が上を向いた状態で机上等に載置した状態において、携帯電話２をリーダ／ライタとして利用し、非接触型記録媒体として用いる携帯電話３に対する情報の書き込みや読み出しを行わせることができる。
【００４５】
以下に、上述した動作について詳細に説明する。
【００４６】
図４は、図１に示した通信端末用台座１に図２に示した携帯電話２を図３に示したように搭載した場合の動作について説明するための図である。なお、以下の説明においては、携帯電話２の非接触通信プロトコルが第１の非接触通信プロトコルであり、携帯電話３の非接触通信プロトコルが第２の非接触通信プロトコルであり、これらが互いに異なる場合について説明する。
【００４７】
通信端末用台座１に搭載された携帯電話２の通信用アンテナ５３からは、第１の非接触通信プロトコルにてＲＦ信号が送信されている。
【００４８】
携帯電話２の通信用アンテナ５３から送信されたＲＦ信号は、携帯電話２の通信用アンテナ５３と対向するアンテナ１１を介して受信される。
【００４９】
アンテナ１１を介して受信されたＲＦ信号は、通信端末用台座１の変換モジュール３０内にて送受信部３１を介して制御部３３に送られ、制御部３３において、メモリ３４に記憶されている複数の非接触通信プロトコルを、予め決められたタイムスケジュールに従って順次用いてポーリングが行われる。
【００５０】
通信端末用台座１から第１の非接触通信プロトコルを用いてポーリングが行われた場合、携帯電話３の非接触通信プロトコルが第１の非接触通信プロトコルとは異なる第２の非接触通信プロトコルであるため、携帯電話３が図３に示したように起立板２０に翳されていても、ポーリングに対する応答は携帯電話３から得られない。
【００５１】
次に、通信端末用台座１から第２の非接触通信プロトコルを用いてポーリングが行われると、携帯電話３の非接触通信プロトコルが第２の非接触通信プロトコルであるため、これに対する応答信号が携帯電話３の通信用アンテナ３ａから送信される。
【００５２】
すると、通信用アンテナ３ａには、携帯電話３が起立板２０に翳されていることにより、アンテナ２１が対向しているため、通信用アンテナ３ａから送信された応答信号は起立板２０のアンテナ２１にて受信される。
【００５３】
起立板２０のアンテナ２１にて受信された応答信号は、変換モジュール３０の制御部３３において第１の非接触通信プロトコルにプロトコル変換され、アンテナ１１から送信される。
【００５４】
すると、アンテナ１１には携帯電話２の通信用アンテナ５３が対向しているため、アンテナ１１から送信された応答信号は携帯電話２の通信用アンテナ５３にて受信され、携帯電話２において、非接触通信可能な非接触型記録媒体が存在することが認識される。
【００５５】
携帯電話２においては、非接触通信可能な非接触型記録媒体が存在することが認識されると、インストールされているプログラムによって、必要となるデータを読み出すためのメモリアクセスコマンドが通信用アンテナ５３から送信される。
【００５６】
携帯電話２の通信用アンテナ５３から送信されたメモリアクセスコマンドは、携帯電話２の通信用アンテナ５３と対向するアンテナ１１を介して受信される。
【００５７】
搭載板１０のアンテナ１１にて受信されたメモリアクセスコマンドは、変換モジュール３０の制御部３３において第２の非接触通信プロトコルにプロトコル変換され、アンテナ２１から送信される。
【００５８】
アンテナ２１から送信されたメモリアクセスコマンドは、アンテナ２１に対向している携帯電話３の通信用アンテナ３ａにて受信される。
【００５９】
すると、携帯電話３において、通信用アンテナ３ａにて受信されたメモリアクセスコマンドに従って、メモリ（不図示）に記憶されたＩＤ等の固有データが読み出され、通信用アンテナ３ａから送信され、起立板２０のアンテナ２１にて受信される。
【００６０】
起立板２０のアンテナ２１にて受信された携帯電話３の固有データは、変換モジュール３０の制御部３３において第１の非接触通信プロトコルにプロトコル変換され、アンテナ１１から送信される。
【００６１】
そして、アンテナ１１から送信された携帯電話３の固有データは携帯電話２の通信用アンテナ５３にて受信され、携帯電話２において、携帯電話３の固有データが読み取られたことになる。
【００６２】
その後、携帯電話２と携帯電話３との間にてさらにデータの送受信が行われる場合、上記同様に、通信端末用台座１の２つのアンテナ１１，２１を介してデータの送受信が行われ、またその際、変換モジュール３０においてプロトコル変換が行われることになる。
【００６３】
（第２の実施の形態）
図５は、本発明の通信端末用台座の第２の実施の形態を示す図であり、（ａ）は外観斜視図、（ｂ）は機能ブロック図である。
【００６４】
本形態における通信端末用台座は図５に示すように、第１の実施の形態にて示したものに対して、搭載板１０に３つのアンテナ１１ａ〜１１ｃが、通信端末が搭載される面に沿って互いに異なる位置に設けられている点のみが異なるものである。
【００６５】
上記のように構成された通信端末用台座１０１は、例えば、図２に示した携帯電話２が図３に示したように搭載されて使用される。
【００６６】
本形態における通信端末用台座１０１は、搭載板１０に３つのアンテナ１１ａ〜１１ｃが設けられているため、これら３つのアンテナ１１ａ〜１１ｃにおいて、上述したコマンドを含むデータの送受信を順次行うことにより、搭載板１０上に搭載された携帯電話２との非接触通信を実現することになる。
【００６７】
これにより、搭載板１０上に搭載される携帯電話２等の通信端末のアンテナの位置がその機種毎に異なる場合であっても、その通信端末と、起立板２０に翳された非接触型記録媒体との間の非接触通信を確実に行うことができる。なお、搭載板１０に設けられるアンテナの数は３つに限らない。
【００６８】
なお、上述した実施の形態においては、搭載板１０上に搭載される通信端末として、図２に示したように、２つの板状筐体５０ａ，５０ｂがヒンジ部５３を中心として見開き可能となった携帯電話２を例に挙げて説明したが、１つの板状筐体からなるものであっても、一方の面に操作部が設けられ、その反対側の面にて非接触通信が行われるものであれば利用することができる。
【産業上の利用可能性】
【００６９】
本発明は、非接触型記録媒体から固有データを読み出すことにより、ポイント管理、勤怠管理、出欠管理、子供等の現在位置管理等に利用することができる。その場合、通信端末用台座上に搭載された通信端末は、ネットワークを介してサーバに接続され、サーバにおいて、通信端末にて読み出された情報に基づいて上記管理を行うことになる。また、非接触型記録媒体から情報を読み出すだけではなく、通信端末によって非接触型記録媒体に情報を書き込むこともできる。
【符号の説明】
【００７０】
１，１０１    通信端末用台座
２，３    携帯電話
３ａ，５３    通信用アンテナ
１０    搭載部
１１，１１ａ〜１１ｃ，２１    アンテナ
１２    ストッパー
１３    アンテナ搭載部
１４    つまみ
１５    溝
１６    ベース基材
１７ａ，１７ｂ    導電材
１８    導通部
１９    磁性体
２０    起立板
３０    変換モジュール
３１，３２    送受信部
３３    制御部
３４    メモリ
５０ａ，５０ｂ    板状筐体
５１    操作部
５２    表示部
５３    ヒンジ部
【図１】
0005498298.tif 000002
【図２】
0005498298.tif 000003
【図３】
0005498298.tif 000004
【図４】
0005498298.tif 000005
【図５】
0005498298.tif 000006